(57)【特許請求の範囲】
【請求項１】
熱交換器や送風機が内蔵され、下面が開口されて天井に設置されるキャビネットと、
中心部に吸込み口を有し、該吸込み口の四周に風向ベーンを有する吹出し口が設けられ、前記キャビネットの開口部を閉塞する該開口部より大形で四角形状の化粧パネルと、
該化粧パネルのパターンが表示され、運転を制御するリモコンとを有し、
前記化粧パネルの角部の下面に、四隅でそれぞれ異なる数又は異なる形状の識別表示が設けられており、
前記リモコンに前記識別表示を含む前記化粧パネルのパターンが表示されており、
前記識別表示は、前記化粧パネルの四隅の角部の下面に、それぞれ設けられた異なる数の四角形又は円形の凹部又は凸部によって形成されていることを特徴とする空気調和機。
【請求項２】
前記化粧パネルの四隅の角部にそれぞれコーナパネルが着脱可能に設けられており、前記コーナパネルのいずれかに輻射温度センサが取付けられ、該輻射温度センサの取付位置を前記化粧パネルの四隅のいずれにも変更可能としたことを特徴とする請求項１記載の空気調和機。
【請求項３】
前記キャビネットに設けた冷媒配管接続部やドレン配管接続部の位置を、前記化粧パネルのいずれかの角部のコーナパネルに対応させたことを特徴とする請求項１または２に記載の空気調和機。
【発明の詳細な説明】
【技術分野】
【０００１】
本発明は、空気調和機に係り、より詳しくは、四方向に空気吹出し口を有し、天井に埋込み状態又は吊り下げ状態で設置される空気調和機に関するものである。
【背景技術】
【０００２】
従来の天井埋込み型や天井吊下げ型の空気調和機は、一般に、中心部にほぼ四角形状の吸込み口を有し、その四辺に吸込み口を囲むようにして吹出し口が設けられ、コーナ部の一箇所に社名ロゴが設けられた化粧パネルを備えている。そして、特定の吹出し口の風向を変更しようとするときは、化粧パネルに設けた社名ロゴの位置を基準とし、この社名ロゴから何番目の吹出し口のベーンを制御して風向を変更すればよいかを、リモコンに表示させていた。
【０００３】
しかしながら、社名ロゴが誤って化粧パネルの他のコーナ部に取付けられることがあり、そうすると、化粧パネルの吹出し口とリモコンの吹出し口のベーン表示とが一致しない。また、社名ロゴの取付けを他のコーナ部に変更しようとしても、社名ロゴの位置がリモコンの風向設定の基準になっているため簡単に他のコーナ部に変更することができなかった。
【０００４】
天井に埋込み状態又は吊り下げ状態で設置される従来の空気調和機に、化粧パネルの１つの角部に赤外線センサを取り付け、空調対象空間を水平方向に複数のエリアに分割し、赤外線センサにより輻射温度又は人の存在を検知して、人の居るエリアを重点的に空調したり温度ムラをなくすように制御するものがある（例えば、特許文献１参照）。
【０００５】
また、複数個の吹出口を有し、各吹出口にはそれぞれ独立して角度を調整できる風向変更羽根を配置し、各風向変形羽根の角度を制御する制御器を有する空気調和機において、制御器にはそれぞれの風向変更羽根を設定角度を記憶する記憶手段と、運転開始時に記憶された設定角度にそれぞれの風向変更羽根の角度を設定する制御手段とを設けたものがある（例えば、特許文献２参照）。
【先行技術文献】
【特許文献】
【０００６】
【特許文献１】特許第３８０７３０５号公報（第１０、１１頁、図１）
【特許文献２】特開平５−１２６３８７号公報（第２、３頁、図３）
【発明の概要】
【発明が解決しようとする課題】
【０００７】
特許文献１の空気調和機においては、角部の基準を化粧パネルの出荷時の社名ロゴの取付位置とし、赤外線センサはその対角への配置を標準位置としており、赤外線センサを標準位置から他の角部へ配置変更した場合は、基準である社名ロゴの取付角部に対して、赤外線センサをどの角部へ配置変更したかを記憶しておき、リモコン設定へ反映させる必要があり、面倒であった。
【０００８】
また、赤外線センサ取付の基準である社名ロゴも他の角部へ変更することができるため、社名ロゴの取付位置を変更すると共に赤外線センサの取付位置を変更したときは、最初の社名ロゴの取付位置とその対角である赤外線センサの取付位置から、どの角部へ取付変更したかを記憶しておき、リモコン設定に反映させなければならないので、きわめて面倒であった。
【０００９】
特許文献２の空気調和機は、実際の天井露出パネルの各吹出口には、例えばＡ〜Ｄの如き記号（目印）が設けられていないので、天井露出パネルだけをみたときに、どの吹出口が例えば「Ａ」なのか容易に判別することができず、不便である。
【００１０】
本発明は、上記の課題を解決するためになされたもので、輻射温度センサを化粧パネルのどの角部に取付けてもその位置情報を容易に検知して、リモコンの表示を設定変更することができ、また、風向変更を必要とする吹出し口の風向ベーンをリモコンにより直接制御することのできる空気調和機を提供することを目的としたものである。
【課題を解決するための手段】
【００１１】
本発明に係る空気調和機は、熱交換器や送風機が内蔵され、下面が開口されて天井に設置されるキャビネットと、中心部に吸込み口を有し、吸込み口の四周に風向ベーンを有する吹出し口が設けられ、キャビネットの開口部を閉塞する開口部より大形で四角形状の化粧パネルと、化粧パネルのパターンが表示され、運転を制御するリモコンとを有し、化粧パネルの角部の下面に、四隅でそれぞれ異なる数又は異なる形状の識別表示が設けられており、リモコンに識別表示を含む化粧パネルのパターンが表示されており、識別表示は、化粧パネルの四隅の角部の下面に、それぞれ設けられた異なる数の四角形又は円形の凹部又は凸部によって形成されていることを特徴とするものである。
【発明の効果】
【００１２】
本発明によれば、化粧パネルの四隅の角部の下面に、それぞれ異なる数又は異なる形状の識別表示を設け、この化粧パネルのパターンをリモコンに表示させるようにしたので、輻射温度センサを化粧パネルのどの角部に取付けても識別表示からその位置情報を容易かつ確実に検知して、リモコンの表示を設定変更することができる。
また、風向変更を必要とする吹出し口を識別表示から検知することにより、その風向ベーンをリモコンにより直接制御することができるため、操作が容易で使い勝手のよい空気調和機を得ることができる。
【図面の簡単な説明】
【００１３】
【図１】本発明の実施の形態１に係る空気調和機の全体構成を示す斜視図である。
【図２】図１のＩ−Ｉ断面図である。
【図３】図１の下面図である。
【図４】図３の要部の拡大図である。
【図５】本実施の形態に係る空気調和機の他の例の下面図である。
【図６】本実施の形態に係る空気調和機の他の例の下面図である。
【図７】本実施の形態に係る空気調和機の他の例の下面図である。
【図８】図１のリモコンの表示を示す説明図である。
【図９】従来の空気調和機の斜視図である。
【図１０】図９の下面図である。
【図１１】本発明の実施の形態２に係る空気調和機の下面図である。
【発明を実施するための形態】
【００１４】
［実施の形態１］
図１は本発明の実施の形態１に係る空気調和機の全体構成を示す斜視図、図２は図１のＩ−Ｉ断面図、図３は図１の下面図、図４は図３の要部の拡大図である。
本実施の形態に係る空気調和機は、図１、図２に示すように、天井に埋め込まれ又は天井に吊り下げられた状態で設置される箱状で、下面が開口された箱状のキャビネット１と、キャビネット１の下面開口部を閉塞するように取付けられたキャビネット１より大きい、四角形状の化粧パネル２とからなっている。
【００１５】
化粧パネル２は、その中央部にほぼ四角形状の空気の吸込み口３が設けられており、この吸込み口３の四辺には、吸込み口３を囲むように吹出し口４ａ，４ｂ，４ｃ，４ｄ（以下、これらを一括して単に４と記すことがある）が設けられている。そして、各吹出し口４には、上下方向に風向きを制御可能な導風手段、すなわち、風向ベーン５が設けられていて、各吹出し口４の風向きが平均的にみて９０°ずつ四方向を向くように設定されている。２ａ，２ｂ，２ｃ，２ｄは化粧パネル２の角部に着脱可能に設けたコーナパネルである。
【００１６】
また、化粧パネル２の下面の角部（コーナ部）のうちの１つ（例えば、角部Ｃ）には、人体センサを有し、吹出し口４から吹出される気流の複数のエリアの輻射温度を検知し、また人体センサにより人の存在を検知する輻射温度センサ６が取付けられており、この輻射温度センサ６と対向する角部（例えば、角部Ｃ）には、社名ロゴ部７が設けられている。なお、この輻射温度センサ６と社名ロゴ部７は、図示の位置に限定するものではなく、化粧パネル２の下面の任意の角部に取付けることができる。
【００１７】
キャビネット１の内部の天面の中心部には、出力軸を下方に向けて電動機８が設けられ、その出力軸には遠心式の送風機９が取付けられており、この送風機９を囲むようにして、熱交換器１０が設置されている。また、熱交換器１０の外周には熱交換器１０を囲んで風路が形成され、風路の外側には熱交換された空気と機外とを断熱する内カバー１１が配設されている。
【００１８】
熱交換器１０の下部には熱交換の際に発生する凝縮水を受け、かつ風路を構成するドレンパン１２が設置されており、このドレンパン１２の下部に化粧パネル２が配置されている。そして、化粧パネル２の吸込み口３が送風機９の吸込み口に連通し、化粧パネル２の各吹出し口４が内カバー１１及びドレンパン１２によって形成された風路に連通している。
【００１９】
また、化粧パネル２の吸込み口３には、機器の内部に塵埃等が侵入するのを防止するためのエアフィルタ１３と、このエアフィルタ１３を支持し、かつ目隠しとして機能するグリル１４が設けられており、さらに、エアフィルタ１３と送風機９との間には、吸込み口３から吸込んだ空気を送風機９にスムーズに導入するためのベルマウス１５が設けられている。
【００２０】
また、図３、図４に示すように、化粧パネル２の下面の四隅の角部Ａ，Ｂ，Ｃ，Ｄには、当該角部を示す例えば四角形の「□」状の識別表示２０がそれぞれ設けられており、例えば、角部Ａに設けた社名ロゴ部７の両側には、それぞれ１個の一対の識別表示２０ａが設けられており、反時計方向回りに、次の角部Ｂにはそれぞれ２個の一対の識別表示２０ｂが、さらに、次の角部Ｃには輻射温度センサ６の両側に、それぞれ３個の一対の識別表示２０ｃが設けられている。そして、最後の角部Ｄにはそれぞれ４個の一対の識別表示２０ｄが設けられている。
このように、化粧パネル２の下面の４つの角部Ａ〜Ｄには、それぞれ数の異なる識別表示２０ａ〜２０ｄ（以下、識別表示を単に２０と記すことがある）が設けられている。
【００２１】
図３の各角部Ａ〜Ｄに設けた識別表示２０は、化粧パネル２のデザインを損うことのないように凹凸形状で示してある。また、識別表示２０の形状は「□」に限るものではなく、例えば「○」状等他の形状、あるいは各角部Ａ〜Ｄごとに異なる形状であってもよく、角部Ａ〜Ｄを識別できるものであればよい。
【００２２】
さらに、識別表示２０の表示位置も図示の位置に限定するものではなく、角部Ａ〜Ｄの近傍、例えば、角部Ａ〜Ｄの最外周部に設けるなど、角部Ａ〜Ｄの識別が可能な位置であればよい。また、各角部Ａ〜Ｄの対向する位置にそれぞれ一対の識別表示２０を設けた場合を示したが、各角部Ａ〜Ｄの１箇所にそれぞれ単独の識別表示２０を設けてもよい。
【００２３】
また、化粧パネル２には、空気調和機の運転を制御するリモコン（制御器）１６が接続されており、電動機８、したがって送風機９の制御や吹出し口４の風向ベーン５の開度設定等の運転制御を行う。なお、このリモコン１６は無線により電気信号を発信するようにしてもよい。そして、このリモコン１６には、図８に示すように、識別表示２０等を含む化粧パネル２と同じパターンが表示されている。なお、輻射温度センサ６の取付位置を変更した場合は、当該角部の識別表示２０により化粧パネル２のどの角部に輻射温度センサ６が取付けられたかを検知し、リモコン１６の識別表示２０の設定変更を行う。
【００２４】
上述した図３の場合は、輻射温度センサ６が角部Ｃに取付けられて、製造元が化粧パネル２を出荷したときの輻射温度センサ６の標準取付位置を示しており、この輻射温度センサ６の対角線上の角部Ａに社名ロゴ部７が取付けてある。
このときの輻射温度センサ６が取付けられた角部Ｃの識別表示２０ｃは、輻射温度センサ６の標準取付位置を示しており、その対角線上の角部Ａに取付けられた社名ロゴ部７は、出荷のときに識別表示２０ａの位置に取付けられていることが容易にわかる。
図３の場合は、輻射温度センサ６が標準取付位置に取付けられているため、リモコン１６に表示された輻射温度センサ６の位置もこれと同じであり、設定変更する必要はない。
【００２５】
図５〜図７は、本実施の形態に係る空気調和機の他の例の化粧パネルの下面図である。
図５の空気調和機の化粧パネル２は、製造元から出荷したときの輻射温度センサ６の取付位置を、図３の標準取付位置（角部Ｃ）から、時計回り方向に、隣接する角部Ｂに変更したものである。
このような位置に輻射温度センサ６が取付けられている場合は、化粧パネル２に設けた識別表示２０ｂから、輻射温度センサ６の取付位置を識別することができ、これに基いてリモコン１６に表示された輻射温度センサ６の位置を、識別表示２０ｂの位置に設定変更する。
【００２６】
図６の空気調和機の化粧パネル２は、製造元から出荷したときの輻射温度センサ６の位置を、図３の標準取付位置（角部Ｃ）から、反時計回り方向に隣接する角部Ｄに変更したものである。
このような位置に輻射温度センサ６を取付けた場合は、化粧パネル２の角部Ｄに設けた識別表示２０ｄから、輻射温度センサ６の取付位置を識別することができ、これに基いてリモコン１６に表示された輻射温度センサ６の位置を、識別表示２０ｄの位置に設定変更する。
【００２７】
図７の空気調和機の化粧パネル２は、社名ロゴ部７の取付位置を、図３で示した位置（角部Ａ）から時計回り方向に隣接する角部Ｄに変更したもので、輻射温度センサ６は標準取付位置（角部Ｃ）に取付けられている。
このような場合も、社名ロゴ部７が取付けられた角部Ｄの識別表示２０ｄから、社名ロゴ部７の取付位置を識別することができ、輻射温度センサ６は角部Ｃの識別表示２０ｃから、標準取付位置のままであることが識別でき、リモコン１６に表示された輻射温度センサ６もこれと同じであるため、設定変更する必要はない。
【００２８】
上述した図３〜図７の輻射温度センサ６及び社名ロゴ部７の取付位置はその一例を示すものであり、これらが任意の角部に取付けられても、化粧パネル２に設けた当該識別表示２０から容易に識別することができるので、これに基いてリモコン１６の表示を確実に設定変更することができる。
【００２９】
ところで、複数の空気調和機を天井に設置する場合、キャビネット１に設けられた冷媒配管やドレン配管の接続口（図９参照）との関係で、複数の空気調和機の輻射温度センサ６や社名ロゴ部７が同じ方向に位置しないことがある。
これに対して、使用者がすべての空気調和機の輻射温度センサ６や社名ロゴ部７を同じ方向（位置）に揃えたいと要望することがあるが、従来は、このようにするとリモコン１６の表示と整合しなくなるため、要望に応えることができなかった。
【００３０】
本実施の形態においては、このような場合、一部又は全部の空気調和機の輻射温度センサ６や社名ロゴ部７を移動して同じ方向に位置させても、各角部Ａ〜Ｄには基準となる識別表示２０が設けられているので、この識別表示２０に基いて輻射温度センサ６や社名ロゴ部７の位置を容易に識別することができるので、これに対応してリモコン１６に表示された輻射温度センサ６や社名ロゴ部７の位置を、容易かつ確実に設定変更することができる。
【００３１】
本実施の形態によれば、化粧パネル２の角部Ａ〜Ｄの下面にそれぞれ異なる識別表示２０を設けたので、化粧パネル２の下面の任意の角部に輻射温度センサ６を取付けても、当該角部に設けた識別表示２０に基いて輻射温度センサ６の位置情報を容易に検知することができ、これに対応してリモコン１６の表示を設定変更することができるので、リモコン１６に輻射温度センサ６の位置が常に正確に表示される。
【００３２】
また、従来のように、各吹出し口４の位置を輻射温度センサ６から何番目というようにリモコン１６に設定する必要がなく、必要とする当該吹出し口４の風向ベーン５を、識別表示２０に基いて直接制御することができる。
さらに、従来は、輻射温度センサ６や社名ロゴ部７を化粧パネル２から取外した場合、目標がないため元の取付位置を覚えておくか、又は別に目印を設けなければならなかったが、本実施の形態によれば、輻射温度センサ６や社名ロゴ部７を取外しても、当該角部の識別表示２０により、これらを容易かつ確実に元の位置に取付けることができる。
【００３３】
［実施の形態２］
図９は通常の天井埋込み型の空気調和機の全体構成を示す斜視図、図１０は図９の下面図である。なお、実施の形態１と同じ部分には、これと同じ符号が付してある。
天井埋込み型の空気調和機には、キャビネット１に冷媒配管接続部１７やドレン配管接続部１８が設けられているが、天井に設置された状態では、これら冷媒配管接続部１７やドレン配管接続部１８は、化粧パネル２や天井板１９に遮ぎられて下からその位置を確認することができず、サービス業者はメンテナンスの際はコーナパネル２ａ〜２ｄを全部取外して確認しなければならなかった。
【００３４】
本実施の形態においては、図１１に示すように、化粧パネル２の各角部Ａ，Ｂ，Ｃ，Ｄにそれぞれ異なる識別表示２０を設け、天井裏に位置するキャビネット１に設けた冷媒配管接続部１７は、例えば、識別表示２０ａが設けられた角部Ａ側に、ドレン配管接続部１８は識別表示２０ｄが設けられた角部Ｄ側に位置すると定めておけば、サービス業者はコーナパネル２ａ〜２ｄのすべてを取外す必要がなく、識別表示２０ａと２０ｄが設けられたコーナパネル２ａと２ｄだけを取外せばよいので、メンテナンスが容易で作業性を高めることができる。
【符号の説明】
【００３５】
１  キャビネット、２  化粧パネル、２ａ〜２ｄ  コーナパネル、３  吸込み口、４  吹出し口、５  風向ベーン、６  輻射温度センサ、７  社名ロゴ部、９  送風機、１０  熱交換器、１６  リモコン（制御部）、１７  冷媒配管接続部、１８  ドレン配管接続部、２０，２０ａ〜２０ｄ  識別表示。
【図１】
0005431289.tif 000002
【図２】
0005431289.tif 000003
【図３】
0005431289.tif 000004
【図４】
0005431289.tif 000005
【図５】
0005431289.tif 000006
【図６】
0005431289.tif 000007
【図７】
0005431289.tif 000008
【図８】
0005431289.tif 000009
【図９】
0005431289.tif 000010
【図１０】
0005431289.tif 000011
【図１１】
0005431289.tif 000012